(57)【要約】【課題】表裏両面に写真印刷が可能な写真シール自動作成方法とその装置及び印刷媒体を提案し、印刷時間の短縮や写真シールの携帯性の向上等により利用者の満足度を向上させる。【解決手段】一以上の被写体を撮像手段で撮像して撮像画像を作成する撮像処理を許容し、該撮像画像、又は／及び他の取得手段で取得の取得画像等の編集対象画像を、利用者が編集手段で編集して編集画像を作成する編集処理を許容し、所定の画像を印刷手段で印刷媒体に印刷する写真シール自動作成方法又はその装置に対して、前記印刷媒体の表裏両面に印刷可能層を備え、前記印刷手段を、前記所定の画像を該印刷媒体の表裏両面に割り付けて印刷するように設定した。【選択図】　　図９
2004090505.tif 000002
【特許請求の範囲】
【請求項１】
一以上の被写体を撮像手段で撮像して撮像画像を作成する撮像処理を許容し、該撮像画像、又は／及び他の取得手段で取得の取得画像等の編集対象画像を、利用者が編集手段で編集して編集画像を作成する編集処理を許容し、
所定の画像を印刷手段で印刷媒体に印刷する写真シール自動作成方法であって、前記印刷媒体の表裏両面に印刷可能層を備え、
前記所定の画像を該印刷媒体の表裏両面に割り付けて前記印刷手段で印刷する
写真シール自動作成方法。
【請求項２】
前記印刷手段に、前記印刷媒体の表面に印刷する表用ヘッドと前記印刷媒体の裏面に印刷する裏用ヘッドとを備えた両面同時印刷装置を使用する
請求項１記載の写真シール自動作成方法。
【請求項３】
一以上の被写体を撮像手段で撮像して撮像画像を作成する撮像処理を許容し、該撮像画像、又は／及び他の取得手段で取得の取得画像等の編集対象画像を、利用者が編集手段で編集して編集画像を作成する編集処理を許容し、
所定の画像を印刷手段で印刷媒体に印刷する写真シール自動作成装置であって、前記印刷媒体の表裏両面に印刷可能層を備え、
前記印刷手段を、前記所定の画像を該印刷媒体の表裏両面に割り付けて印刷するように設定した
写真シール自動作成装置。
【請求項４】
前記印刷手段を、前記印刷媒体の表面に印刷する表用ヘッドと前記印刷媒体の裏面に印刷する裏用ヘッドとを備えた両面同時印刷装置で構成した
請求項３記載の写真シール自動作成装置。
【請求項５】
所定の画像の印刷を許容する印刷媒体であって、
表裏両面に印刷可能層を形成した
印刷媒体。
【請求項６】
前記印刷可能層の各内面に粘着層を接着してそれぞれを印刷媒体に形成し、
各印刷媒体の中間に台紙層を備えた
請求項５記載の印刷媒体。
【請求項７】
請求項５又は６記載の印刷媒体と、
該印刷媒体の真偽を識別させる識別体を備えた
印刷媒体ユニット。
【発明の詳細な説明】
【０００１】
【発明の属する技術分野】
この発明は、例えばゲームセンター等のアミューズメント施設に設置し、利用者を撮像してその撮像画像に落書き編集することを許容し、編集後の編集画像を印刷媒体に印刷して写真シールシートを作成するような、写真シール自動作成方法とその装置、及び印刷媒体に関する。
【０００２】
【従来の技術】
従来、被写体の撮像画像を編集した編集画像をシール紙に印刷して写真シールシートを作成する写真シール自動作成装置が提供されている。該写真シール自動作成装置では、白紙のシール紙に撮像画像や編集画像の写真印刷を行うものが主流であり、利用者は印刷された自分の画像を含む写真シールをハサミ等で切り取り、好みの場所やノートに貼り付ける、あるいは友人と写真シール交換するといったように利用している。
【０００３】
このような写真シール自動作成装置では、通常表面のシール層に写真印刷を行い、該シール層を台紙層から剥がして利用できるようになっている。表裏両面に印刷を施す方法としては、写真感光部以外の表裏余白部に印刷を施した写真シール紙が提案されている（特許文献１参照）。
【０００４】
【特許文献１】
実用新案登録第３０５２７３３号公報。
【０００５】
【発明が解決しようとする課題】
しかし、前記考案の写真シール紙は、表裏余白部に懸賞くじ用のハガキ等の記号、文字、模様等を印刷して広告宣伝商品としても利用することが目的であり、写真印刷に関しては従来どおり表面に印刷するのみで単に写真印刷と異なる付加価値をつけたものでしかなかった。
【０００６】
この発明は、表裏両面に写真印刷が可能な写真シール自動作成方法とその装置及び印刷媒体を提案し、印刷時間の短縮や写真シールの携帯性の向上等により利用者の満足度を向上させることを目的とする。
【０００７】
【課題を解決するための手段】
この発明は、一以上の被写体を撮像手段で撮像して撮像画像を作成する撮像処理を許容し、該撮像画像、又は／及び他の取得手段で取得の取得画像等の編集対象画像を、利用者が編集手段で編集して編集画像を作成する編集処理を許容し、所定の画像を印刷手段で印刷媒体に印刷する写真シール自動作成方法又はその装置であって、前記印刷媒体の表裏両面に印刷可能層を備え、前記所定の画像を該印刷媒体の表裏両面に割り付けて前記印刷手段で印刷する写真シール自動作成方法又はその装置であることを特徴とする。
【０００８】
前記撮像手段は、デジタルカメラ又はデジタルビデオカメラで構成することを含む。
前記編集手段は、利用者にタッチペン又は指でタッチされた座標を取得するタッチパネルやマウス等のポインティングデバイスで構成することを含む。
【０００９】
前記他の取得手段は、通信手段又は記憶媒体読取手段等のデータ取込手段、写真や絵画等の実画像をスキャニングするスキャナで構成することを含む。
前記取得画像は、通信手段又は記憶媒体読取手段等のデータ取込手段で取得する画像、すなわち個人用デジタルカメラでの撮像やパソコンでのグラフィック制作等によるデジタル画像や、写真や絵画等の実画像をスキャナでスキャニングしたスキャニング画像で構成することを含む。
【００１０】
前記所定の画像は、前記撮像画像、前記デジタル画像、又は前記スキャニング画像等の編集前の画像、又はこれら編集前の画像を編集手段で編集した編集画像、又は、前記編集前の画像又は／及び前記編集画像から選択された複数の画像で構成することを含む。
【００１１】
前記印刷手段は、モノトーンプリンタ、セピア（ｓｅｐｉａ）トーンプリンタ又はカラープリンタ等画像を印刷する印刷装置で構成することを含む。
前記印刷媒体は、印刷可能層の裏側に粘着層を備えたシール紙（シール媒体）等、貼付可能媒体で構成することを含む。
【００１２】
前記割り付けは、表裏に異なる画像を割り付ける、あるいは表裏とも同一の画像を割り付けることを含む。
【００１３】
好ましい実施の形態として、前記印刷手段に、前記印刷媒体の表面に印刷する表用ヘッドと前記印刷媒体の裏面に印刷する裏用ヘッドとを備えた両面同時印刷装置を使用することができる。
【００１４】
前記表用ヘッド及び裏用ヘッドは、インクリボンのカラーを印刷媒体に熱転写する熱転写ヘッド、又はインクジェット方式でインクを噴射するインク噴射ヘッド等、印刷媒体に印刷可能なヘッドで構成することを含む。
【００１５】
またこの発明は、所定の画像の印刷を許容する印刷媒体であって、表裏両面に印刷可能層を形成した印刷媒体とすることができる。
前記印刷可能層は、表面を白色（又は透明等の他の色）の平滑面で形成することを含む。
【００１６】
好ましい実施の形態として、前記印刷可能層の各内面に粘着層を接着してそれぞれを印刷媒体に形成し、各印刷媒体の中間に台紙層を備えることができる。　前記粘着層は、再剥離可能又は不可能な粘着剤を前記印刷層に塗布して形成する、あるいは再剥離可能又は不可能な粘着シートを前記印刷層に接着して形成することを含む。
前記台紙層は、前記粘着層が容易に剥がれるように表面を平滑加工したシート部材で形成することを含む。
【００１７】
またこの発明は、前記印刷媒体と、該印刷媒体の真偽を識別させる識別体を備えた印刷媒体ユニットとすることができる。
【００１８】
前記識別体は、非接触でデータを読書きするＩＤタグ、情報を記録したバーコード又はＩＣカード、又は、特定形状に形成した印刷媒体ユニットのユニット形状であることを含む。
【００１９】
該識別体を識別する識別手段は、ＩＤタグに記憶のデータを読取るＩＤタグリーダ、バーコードを読取るバーコードスキャナ、ＩＣカードに記憶のデータを読取るＩＣカードリーダ、特定形状に形成した印刷媒体ユニットのユニット形状と嵌合する嵌合部で構成することを含み、前記写真シール自動作成装置に備えることを含む。
前記印刷媒体ユニットは、識別体と印刷媒体とを一体にして構成する、あるいは前記識別体と印刷媒体とを別体にして構成することを含む。
【００２０】
【発明の効果】
この発明により、印刷する画像を表裏に割り付けて、従来と同等面積の印刷で印刷時間を半分程度に短縮することが可能となる。
【００２１】
また、画像を表裏に割り付けて印刷しているため、仕上がった写真シールシートのサイズを小さくすることができ、携帯性が向上して持ち運びが便利になる。
【００２２】
また、従来と同程度の印刷時間で従来と同サイズ程度の写真シールシートを作成し、この表裏に画像を印刷することができ、提供する写真シールの枚数を増加することもできる。
【００２３】
このようにして、利用者の満足度を向上させることができ、リピート客を増加させて売上向上を図ることができる。
【００２４】
【発明の実施の形態】
この発明の一実施形態を以下図面と共に説明する。
まず、図１に示す正面右上から見た斜視図と共に、写真シール自動作成機１の外観について説明する。
【００２５】
写真シール自動作成機１は、ボックス状の枠体３で囲繞した撮像空間５の正面奥側に筐体４を備えており、前記枠体３の上辺からは側面及び正面にカーテン２（右側面は図示省略）を吊るして撮像空間５を外界から隔離している。
【００２６】
前記筐体４には、正面中央に前下がりの傾斜部を形成して該傾斜部にモニタ１４を備える。該モニタ１４には、タッチパネル１５ａを重ねて設け、その左右に備えたタッチペン１５ｂ，１５ｂで該タッチパネル１５ａをタッチさせて、利用者の入力を許容する。
【００２７】
前記傾斜部の上方には、中央にデジタルカメラ１２を備え、該デジタルカメラの左右にストロボ発光する照明装置１３，１３を配設する。なお、該照明装置１３は、ボックス状に形成して正面を白色半透明の拡散板で形成し、他の面を白色塗装した反射板で形成する。これにより、ストロボ発光体で奥側に向かって照射する照射光を前記反射板で反射し、その反射光を拡散板で拡散して主に被写体を略均一に照明する。
【００２８】
前記傾斜部の下方正面には、硬貨の投入を許容する貨幣投入口１６ａを備え、筐体４の右側面下部には、作成した写真シールシートを排出する写真シール排出口１８ａを備える。
【００２９】
該写真シール排出口１８ａの内部には、図２の部分拡大図（一部断面図）に示すように、パーソナルコンピュータで構成した制御装置１１とその上方に設置したプリンタ１８を備える。
該プリンタ１８は、インクジェットプリンタで構成し、シール紙ユニット３０のシール紙３２の表面シール層３２ａ及び裏面シール層３２ｅ（後述）に写真印刷等の印刷を行う。また、シール紙ユニット３０をセット可能（着脱可能）に形成しており、背面側にＩＤタグリーダ／ライタ１７を備える。
【００３０】
前記シール紙ユニット３０は、ロール状のシール紙３２とその側面に備えたＩＤタグ３１で構成し、該ＩＤタグ３１は前記ＩＤタグリーダ／ライタ１７によるデータの読書きを許容する。なお、前記プリンタ１８でシール紙３２に画像が印刷されて作成された写真シールシート３３は、前記写真シール排出口１８ａから排出する。
【００３１】
前記プリンタ１８の内部は、図３の斜視図に示すように、シール紙３２の上下に被さるようにセットしたインクリボン１８ｈ、表用ヘッド１８ｂ、裏用ヘッド１８ｅを備えている。
【００３２】
ここで前記シール紙３２について説明すると、仮想線で示す部分拡大表示（Ａ）のように、上から順に表面シール層３２ａ、粘着層３２ｂ、台紙層３２ｃ、粘着層３２ｄ、裏面シール層３２ｅの５層で構成する。表面シール層３２ａと粘着層３２ｂ、および粘着層３２ｄと裏面シール層３２は、それぞれ接着しており、台紙層３２ｃは表裏両面を平滑面で形成している。これにより、表面シール層３２ａと粘着層３２ｂ、および粘着層３２ｄと裏面シール層３２が、シールとして台紙層３２ｃから剥がれやすいように構成している。
【００３３】
前記インクリボン１８ｈは、シール紙ユニット３０の右手前側に備えた繰出軸１８ｉに巻かれており、シール紙３２の上を左方へ伸ばし、シール紙３２の下方から戻してきて前記繰出軸１８ｉの下方に位置する巻取軸１８ｊで巻き取る。これにより、１つのインクリボン１８ｈでシール紙３２の表面及び裏面に印刷することを可能にし、インクリボン１８ｈの交換メンテナンスの頻度を軽減している。
【００３４】
また、インクリボン１８ｈは、図４の説明図の（Ｂ）に示すようにＹ（イエロー）、Ｍ（マゼンタ）、Ｃ（シアン）、ＯＰ（オーバーコート）の各色を配置している。この各色部分は、写真シールシート３３のサイズとほぼ同一の面積を一色で形成して順番に並べている。すなわち、従来の片面印刷であれば（Ｃ）に示すように同色面積がほぼ倍であったが、両面印刷によって写真シールシート３３のサイズを半分程度に縮小できるため、これにあわせて各色部分も半分程度に縮小している。
【００３５】
図３に示した前記表用ヘッド１８ｂは、ヘッド移動バー１８ｃ上を前後に移動可能に備え付けている。また、ヘッド移動バー１８ｃが左右に移動することで（後述の図５参照）、シール紙３２の表面全体に表用ヘッド１８ｂで印刷することができる。これにより、インクリボン１８ｈをシール紙３２に上から熱で押し付け、シール紙３２の表面にカラー印刷を施すことができる。
【００３６】
前記裏用ヘッド１８ｅは、ヘッド移動バー１８ｆ上を前後に移動可能に備え付けている。また、ヘッド移動バー１８ｆが左右に移動することで（後述の図５参照）、シール紙３２の裏面全体に裏用ヘッド１８ｅで印刷することができる。これにより、インクリボン１８ｈをシール紙３２に下から熱で押し付け、シール紙３２の裏面にカラー印刷を施すことができる。
【００３７】
また、表用ヘッド１８ｂ及び裏用ヘッド１８ｅは、図５の正面図に示すように段違いに備えている。すなわち、表用ヘッド１８ｂに備えた鉄板１８ｄの右側の下方に裏用ヘッド１８ｅが位置し、該裏用ヘッド１８ｅに備えた鉄板１８ｇの左側の上方に表用ヘッド１８ｂが位置する。
【００３８】
この位置関係を保って印刷することで、表用ヘッド１８ｂでの印刷ではシール紙３２を鉄板１８ｇで支えることができ、裏用ヘッド１８ｅでの印刷ではシール紙３２を鉄板１８ｄで支えることができる。
【００３９】
以上の構成により、シール紙３２の表面及び裏面に画像を印刷することができ、両印刷面積の印刷を表面のみに行う場合と比較して、約半分程度の印刷時間で印刷を完了させることができる。
【００４０】
次に、図６に示すブロック図と共に、写真シール自動作成機１の制御回路の構造について説明する。
制御装置１１は、ＣＰＵ，ＲＯＭ，及びＲＡＭを内蔵して各装置の制御を実行し、該制御装置１１に接続して以下の各装置を備える。
【００４１】
デジタルカメラ１２は、制御装置１１からのシャッタ信号を受けて撮像を実行し、該撮像による撮像画像を静止画データで、また撮像前のプレビュー画像を動画データで、それぞれ画像データとして制御装置１１に送信する。
照明装置１３は、制御装置１１からの照明制御信号に従ってストロボ発光を実行し、撮像時に被写体を略均一に照明する。なお、該照明装置１３は、ストロボ照明に加えて蛍光灯照明装置又は／及び白熱灯照明装置を追加しても良く、またストロボ照明に替えて蛍光灯照明装置又は／及び白熱灯照明装置を備えても良い。
【００４２】
モニタ１４は、制御装置１１からのＲＧＢ信号に従って、プレビュー、撮像画像、画像編集時のペンツールやスタンプルール等のアイテム画像等、必要な画像を表示する。
【００４３】
入力装置１５は、前述のタッチペン１５ｂ（図１）とタッチパネル１５ａで構成し、利用者にタッチペン１５ｂでタッチされた座標を入力信号として制御装置１１に送信する。
【００４４】
貨幣処理装置１６は、前述の貨幣投入口１６ａ（図１）の内部に位置して設けており、該貨幣投入口１６ａから投入された硬貨の真偽判別及び金種判別を実行する。該真偽判別及び金種判別が正であれば、プレイを開始する起動信号を制御装置１１に送信する。
【００４５】
ＩＤタグリーダ／ライタ１７は、制御装置１１の更新信号に従ってシール紙ユニット３０のＩＤタグ３１に印刷残回数などの設定データを記憶させ、読出信号として前記ＩＤタグ３１に記憶のＩＤナンバーや印刷残回数などの設定データを制御装置１１に送信する。
【００４６】
プリンタ１８は、制御装置１１からプリント画像データを受信し、該プリント画像を前述したようにシール紙３２の表面シール層３２ａ及び裏面シール層３２ｅに写真印刷し、写真シールシート３３を作成して排出する。ここで写真印刷とは、被写体の撮像画像や編集画像を写真のように美しく印刷することを指し、この写真印刷を行った写真シール３４が利用者の直接的な目的物（取得対象物）となる。
【００４７】
以上の構造により、プリンタ１８でシール紙３２の表面シール層３２ａ及び裏面シール層３２ｅに写真印刷を施し、写真シール３４（後述の図９参照）を提供することができる。
【００４８】
次に、図７に示す処理フロー図と共に、写真シール自動作成機１の動作について説明する。
利用者によって貨幣投入口１６ａ（図１）に硬貨（コイン）が投入されると、貨幣処理装置１６（図６）が制御装置１１に起動信号を送信してプレイを開始する（ステップｎ１）。
【００４９】
制御装置１１は、デジタルカメラ１２で撮影している動画をモニタ１４にプレビュー表示し、カウントダウンを行ってデジタルカメラ１２による撮像を実行する（ステップｎ２）。なお、該撮像の時と同期をとって照明装置１３を発光させ、略均一照明を得た撮像を実行する。また撮像は複数回実行し、複数の撮像画像を作成する。
【００５０】
前記撮像処理が終了すると、制御装置１１は撮像画像に落書き編集を許容する落書き編集処理を実行する（ステップｎ３）。該落書き編集処理では、縁どりペンやらめペン等のペンツール、及び、さくらんぼや犬等の画像をスタンプのように書込めるスタンプツール等の落書きツールを表示し、利用者に選択された撮像画像に対して落書きツールを利用した落書き編集を許容する。
【００５１】
前記落書き編集処理が終了すると、制御装置１１は図８の画面イメージ図に示す画像割り付け画面を表示し、編集画像の割り付け数を利用者に選択させる（ステップｎ４）。
【００５２】
ここで利用者は、表面用の印刷画像表示部１４ａに表示する写真イメージ１４ｂを、左移動ボタン１４ｅ、右移動ボタン１４ｆ、又は最初に戻るボタン１４ｇのタッチによって変更し、好みの画像サイズ（写真枚数）を選択する。
【００５３】
同様に裏面用の印刷画像表示部１４ｄに表示する写真イメージ１４ｃを、左移動ボタン１４ｈ、右移動ボタン１４ｊ、又は最初に戻るボタン１４ｉのタッチによって変更し、好みの画像サイズ（写真枚数）を選択する。
【００５４】
このようにして割り付け数が選択されたのち、印刷ボタン１４ｋがタッチされる、あるいは制限時間が終了することで、前記割り付けによる配置画像を印刷用画像として次の印刷処理に移行する。
【００５５】
制御装置１１は前記印刷用画像をプリンタ１８でシール紙３２の表面シール層３２ａ及び裏面シール層３２ｅに印刷し（ステップｎ５）、完成した写真シールシート３３（図２）を出力し（ステップｎ６）、プレイを終了する。
【００５６】
以上のようにして完成した写真シールシート３３は、図９の平面図に示すように表裏両面に異なる編集画像が写真印刷されており、利用者は表面から剥がした写真シール３４ａと、裏面から剥がした写真シール３４ｂを写真シール３４として利用することができる。
【００５７】
これにより、片面印刷に比較して写真シールシート３３のサイズが半分程度に小型コンパクトになり、携帯性が向上する。すなわち、従来であれば写真シールシート３３を鞄にしまうのに折れないように配慮しなければいけなかったが、サイズを縮小することで財布にしまうことも可能になる等、折れのないきれいな状態での保管が容易になる。
【００５８】
また、写真シールシート３３のサイズを半分程度とすることで、台紙層３２ｃも半分程度で足り、シール紙３２のコストダウンを図ると共に、主に紙部材で形成される台紙層３２ｃを削減して環境保護を図ることもできる。
【００５９】
その上、表裏両面に同時印刷を行うため、印刷完了までの時間が短縮され、利用者の待ち時間を減少して満足度向上を図ることもできる。
【００６０】
なお、図８に示した画像割り付け画面は、裏面用の印刷画像表示部１４ｄ、左移動ボタン１４ｈ、右移動ボタン１４ｊ、及び最初に戻るボタン１４ｉを省略し、表裏共に同一の印刷用画像を作成するように設定しても良い。
【００６１】
また、左移動ボタン１４ｈ、右移動ボタン１４ｊ、及び最初に戻るボタン１４ｉを省略し、表面用の印刷画像表示部１４ａと裏面用の印刷画像表示部１４ｄが同時に変るように設定しても良い。
【００６２】
また、写真シールシート３３のサイズは従来程度の大きさとしても良い。この場合は、従来の２倍程度の面に印刷された写真シール３４を提供できるため、利用者が得られる写真シール３４が格段に増加し、お得感を与えて満足度を向上させることができる。その上、表裏両面印刷により印刷時間は従来とほぼ変化しないため、待ち時間に対する利用者の不満も防止することができる
また、インクリボン１８ｈは、表用と裏用を別々にして２つ備えても良い。　また、裏用ヘッド１８ｅを備えず、スイッチバック機構（スイッチバック手段）と反転機構（反転手段）を備えても良い。この場合は、シール紙３２の表面に表用ヘッド１８ｂで印刷し、写真シールシート３３として提供する提供部分を切り離した後、スイッチバックを利用して前記提供部分のシール紙３２を反転し、前記表用ヘッド１８ｂで該シール紙３２の裏面にも印刷するように構成する。
【００６３】
前記スイッチバック機構は、正逆回転するパルスモータで構成することができる。また、前記反転機構は、往路では落とし込み側通路を開いて水平移動するシート部材（前記提供部分のシール紙３２）をローラで下方へ略垂直となるように落とし込み、該シート部材を逆向きに上方へ引き上げて往路方向へ水平に移動させ、復路では前記落とし込み側通路を閉じて前記シート部材を前記ローラの上方も含めてそのまま水平に通過させる機構で構成することができる。
これにより裏用ヘッド１８ｅが不要となり、スイッチバック機構及び反転機構さえ取り付ければ従来のプリンタを利用できる利点がある。
【００６４】
また、制御装置１１に接続してモデム又はＬＡＮボード等の通信装置を備え、インターネット等の回線を通じて外部から画像を取得可能に構成しても良い。この場合は、通信によって取得した受信画像を、デジタルカメラ１２で撮像した撮像画像の替わりに、あるいは該撮像画像と共に、落書き編集処理で落書きして印刷できるように構成すると良い。
【００６５】
この発明の構成と、上述の実施形態との対応において、
この発明の写真シール自動作成装置は、実施形態の写真シール自動作成機１に対応し、
以下同様に、
撮像手段は、デジタルカメラ１２に対応し、
編集手段は、入力装置１５に対応し、
識別手段は、ＩＤタグリーダ／ライタ１７に対応し、
印刷手段及び両面同時印刷装置は、プリンタ１８に対応し、
印刷媒体ユニットは、シール紙ユニット３０に対応し、
識別体は、ＩＤタグ３１に対応し、
印刷媒体は、シール紙３２に対応し、
印刷可能層は、表面シール層３２ａ及び裏面シール層３２ｅに対応し、
所定の画像は、印刷用画像に対応するも、
この発明は、上述の実施形態の構成のみに限定されるものではなく、多くの実施の形態を得ることができる。
【図面の簡単な説明】
【図１】写真シール自動作成機の外観を示す正面右上から見た斜視図。
【図２】写真シール自動作成機の内部を示す部分拡大図（一部断面図）。
【図３】プリンタの表裏印刷構造を示す斜視図。
【図４】インクリボンの構造を示す平面図
【図５】プリンタの表裏印刷構造を示す正面図。
【図６】写真シール自動作成機の制御回路を示すブロック図。
【図７】写真シール自動作成機の動作を示す処理フロー図。
【図８】割り付け数選択画面を示す画面イメージ図。
【図９】写真シールシートの平面図。
【符号の説明】
１…写真シール自動作成機
１２…デジタルカメラ
１５…入力装置
１７…ＩＤタグリーダ／ライタ
１８…プリンタ
１８ｂ…表用ヘッド
１８ｅ…裏用ヘッド
３０…シール紙ユニット
３１…ＩＤタグ
３２…シール紙
３２ａ…表面シール層
３２ｂ…粘着層
３２ｃ…台紙層
３２ｄ…粘着層
３２ｅ…裏面シール層
【図１】
2004090505.tif 000003
【図２】
2004090505.tif 000004
【図３】
2004090505.tif 000005
【図４】
2004090505.tif 000006
【図５】
2004090505.tif 000007
【図６】
2004090505.tif 000008
【図７】
2004090505.tif 000009
【図８】
2004090505.tif 000010
【図９】
2004090505.tif 000011